(57)【要約】【課題】樹脂シートの外形線及び収納部の空間の陰影が透けて見える樹脂シートの表面の暗い色合いを目立たせることなく、意匠性を向上させることができる空気調和機の室内機を提供する。【解決手段】空気調和機の室内機１は、筐体２の前側に設けられ開口部１０，１３を有する前面壁部６と、筐体２の内部に設けられ、開口部１０，１３に対応して設けられる受信部９，１２を収納する収納部８，１１と、前面壁部６の前側に貼り付けられる樹脂シート１４とを備える。樹脂シート１４は、開口部１０，１３と共に前面壁部６を覆うシート基材１５と、シート基材１５の裏面１５ｂのうち開口部１０，１３を覆う部分以外の部分に設けられた、前面壁部６に貼り付けられる粘着層１６とを備える。粘着層１６は、シート基材１５の色よりも明度が低い色である。【選択図】図１
2020106192.tif 000002
【特許請求の範囲】
【請求項１】
筐体と、前記筐体の前側に設けられ開口部を有する前面壁部と、前記筐体の内部に設けられ、前記開口部に対応して設けられる受信部を収納する収納部と、前記前面壁部の前側に貼り付けられて前記開口部を覆う樹脂シートとを備え、
前記樹脂シートが、前記開口部と共に前記前面壁部を覆うシート基材と、前記シート基材の裏面のうち前記開口部を覆う部分以外の部分に設けられた、前記前面壁部に貼り付けられる粘着層とを備え、前記粘着層は、前記シート基材の色よりも明度が低い色色であることを特徴とする空気調和機の室内機。
【請求項２】
前記シート基材の色は、前記前面壁部の色に対して明度が同じ色であり、  前記粘着層の色は、前記シート基材および前記前面壁部の色に対して明度が低い色であることを特徴とする請求項１に記載の空気調和機の室内機。
【請求項３】
前記シート基材は、前記前面壁部の一端側から他端側まで覆うものであることを特徴とする請求項１または２に記載の空気調和機の室内機。
【発明の詳細な説明】
【技術分野】
【０００１】
本発明は、空気調和機の室内機に関する。
【背景技術】
【０００２】
従来より、人感センサーやリモコン受光部等の受信部を本体の前面あるいは下面に具備した空気調和機が知られている（特許文献１参照）。
特許文献１に記載された空気調和機において、熱交換器を収容する本体の前面に意匠面を形成する表示部カバーが設けられている。そして、前述の受信部は、表示部カバーの内部に設けられた収納部に収容されている。また、表示部カバーの収納部の前方には、少なくとも周縁にリブを有する開口部が形成されている。そして、開口部は、リブの前面に貼り付けられた、受信部への赤外線信号が透過可能な材質で形成された樹脂シートによって覆われ、リブの少なくとも前面側が樹脂シートの表面の色彩より濃い色彩が施されている。
【０００３】
特許文献１に記載された空気調和機によれば、表示部カバーに形成された開口部を樹脂シートで覆うことにより、収納部に収容されたリモコン受信部や人感センサー等の受信部を隠蔽することができる。
また、樹脂シートが受信部への赤外線信号が透過可能な材質で形成されているため、受信部の受信性を確保することができる。
一方、樹脂シートは赤外線に対する透過性があるために、樹脂シートで収納部の空間を覆うと、前記空間の陰影が樹脂シートの表面に透けて見えてしまう。
【０００４】
ここで、リブと前記陰影との色彩が異なると、樹脂シートの表面にリブの形が透けて見えてしまい、意匠性を著しく損なう。
特許文献１に記載された空気調和機によれば、リブの前面側が樹脂シートの表面の色彩より濃い色彩が施されているので、リブの前面側の色彩と陰影の色彩とが馴染み、樹脂シートの表面にリブの形が透けて見えることなく、意匠性を向上させることができる。
【先行技術文献】
【特許文献】
【０００５】
【特許文献１】特開２０１７−１２９２９２号公報
【発明の概要】
【発明が解決しようとする課題】
【０００６】
しかしながら、この従来の特許文献１に示した空気調和機にあっては、以下の問題点があった。
特許文献１に示した空気調和機において、リブの前面側に色彩を施す場合には、塗装工程と乾燥工程が必要になるため、作業工程が増えてしまうという問題があった。さらに、リブの前面側の色彩と収納部の空間の陰影の色彩とを馴染ませるようにしても、樹脂シートで収納部の空間を覆った際に、表示部カバーの色彩に対して収納部の空間の陰影が樹脂シートの表面に透けて見えてしまう。このため、当該陰影が透けて見えている樹脂シートの表面の暗い色合いが、当該陰影が透けて見えない樹脂シートの表面及び当該樹脂シートの表面と同一色の表示部カバーの表面の比較的明るい色合いに対して目立ち、意匠性を損ねるという問題点があった。
【０００７】
また、特許文献１に示した空気調和機に使用される樹脂シートは、表示部カバーに形成された開口部を覆うためにその開口部よりもやや大きな形状に形成されているにすぎない。このため、樹脂シートを表示部カバーに貼り付けた際に、表示部カバーと樹脂シートの色彩が同一であっても、表示部カバーの表面に樹脂シートの外形線が表れてしまい、意匠性を損ねるという問題点があった。
従って、本発明はこの従来の問題点を解決するためになされたものであり、その目的は、意匠性を向上させることができる空気調和機の室内機を安価に提供することにある。
【課題を解決するための手段】
【０００８】
上記目的を達成するために、本発明の一態様に係る空気調和機の室内機は、筐体と、前記筐体の前側に設けられ開口部を有する前面壁部と、前記筐体の内部に設けられ、前記開口部に対応して設けられる受信部を収納する収納部と、前記前面壁部の前側に貼り付けられて前記開口部を覆う樹脂シートとを備え、前記樹脂シートが、前記開口部と共に前記前面壁部を覆うシート基材と、前記シート基材の裏面のうち前記開口部を覆う部分以外の部分に設けられた、前記前面壁部に貼り付けられる粘着層とを備え、前記粘着層は、前記シート基材の色よりも明度が低い色であることを要旨とする。
【発明の効果】
【０００９】
本発明に係る空気調和機の室内機によれば、意匠性を向上させることができる空気調和機の室内機を提供できる。
【図面の簡単な説明】
【００１０】
【図１】本発明の一実施形態に係る空気調和機の室内機の正面図である。
【図２】図１に示す室内機から樹脂シートを取り外した状態の正面図である。
【図３】図１におけるＡ−Ａ線に沿う断面図である。
【図４】図３にける主要部を拡大して示す断面図である。
【図５】樹脂シートを示し、（ａ）は平面図、（ｂ）は裏面図、（ｃ）は（ａ）におけるＢ−Ｂ線に沿う断面図である。
【発明を実施するための形態】
【００１１】
以下、本発明の実施形態について図面を参照して説明する。
以下に示す実施形態は、本発明の技術的思想を具体化するための装置や方法を例示するものであって、本発明の技術的思想は、構成部品の材質、形状、構造、配置等を下記の実施形態に特定するものではない。また、図面は模式的なものである。そのため、厚みと平面寸法との関係、比率等は現実のものとは異なることに留意すべきであり、図面相互間においても互いの寸法の関係や比率が異なる部分が含まれている。
【００１２】
図１ないし図３に示すように、空気調和機の室内機１は、筐体２と、送風ファン３と、熱交換器４と、ドレパン組立体５と、前面壁部６と、前面パネル７とを備えている。ドレパン組立体５は送風路を形成し、下流側には吹出口５ａが形成される。この吹出口５ａには、上下風向調整板５ｂが設けられる。
筐体２は、左右方向（図１及び２における左右方向）、上下方向（図１及び図２における上下方向）及び前後方向（図３における左右方向）に延び、内部に送風ファン３、熱交換器４、及びドレパン組立体５が収容される。
【００１３】
そして、前面壁部６は、左右方向に延び、筐体２の前側に筐体２の前側全体を覆うように設けられている。また、前面パネル７は、前面壁部６の上側に図示しない軸によって回動可能に取り付けられている。このため、前面壁部６のうちの前面パネル７によって覆われない領域は、図２に示すように、室内機１の前側に露出し、斜線で示された前側に露出する領域Ｒを形成する。この前側に露出する領域Ｒは、左右方向に細長く延びる矩形状に形成される。前面壁部６を含む筐体２は、比較的明るい色、具体的には白色を有する。
このように構成された空気調和機の室内機１において、送風ファン３が回転すると、室内の空気が図示しないフィルターを介して室内機１内に吸い込まれる。そして、室内機１内に吸い込まれた空気は、熱交換器４において冷媒と熱交換されて冷気、暖気等になり、その冷気、暖気等が吹出口５ａを通過して室内へ吹き出される。
【００１４】
ここで、室内機１の筐体２の内部であって前面壁部６のうちの前側に露出する領域Ｒの近傍には、図２乃至図４に示すように、受信部としての人感センサー９を収納する収納部としての第１収納部８が設けられている。また、室内機１の筐体２の内部であって前面壁部６のうちの前側に露出する領域Ｒの近傍には、図２に示すように、受信部としての温度センサー１２を収納する収納部としての第２収納部１１が設けられている。第１収納部８は、筐体２の内部の左右方向の略中央部に設けられ、第２収納部１１は、筐体２の内部の第１収納部８よりも左側に設けられる。
【００１５】
また、前面壁部６のうちの前側に露出する領域Ｒの第１収納部８の前方に位置する部分には、図２乃至図４に示すように、前後方向に貫通する開口部としての第１開口部１０が形成されている。同様に、前面壁部６のうちの前側に露出する領域Ｒの第２収納部１１の前方に位置する部分には、図２に示すように、前後方向に貫通する開口部としての第２開口部１３が形成されている。第１開口部１０は、左右方向に細長く延びる矩形状に形成される。第２開口部１３は、左右方向に細長く、かつ、第１開口部１０よりも短く延びる矩形状に形成される。
また、室内機１は、図１及び図２に示すように、前面壁部６のうちの前側に露出する領域Ｒに前側から貼り付けられて第１開口部１０及び第２開口部１３を覆う樹脂シート１４を備えている。
【００１６】
この樹脂シート１４は、図５（ａ），（ｂ），（ｃ）に示すように、シート基材１５と、粘着層１６とを備えている。
シート基材１５は、図１、図２及び図５（ａ），（ｂ），（ｃ）に示すように、前面壁部６のうちの前側に露出する領域Ｒの全てを覆う左右方向に細長く延びる表面１５ａ及び裏面１５ｂを有する矩形板状に形成される。シート基材１５は、赤外線を透過可能な材質の樹脂材で構成される。シート基材１５の表面１５ａ及び裏面１５ｂは、前面壁部６を含む筐体２と同様の色、具体的には白色を有する。シート基材１５の表面１５ａにはシボ加工が施されている。
【００１７】
また、粘着層１６は、シート基材１５の裏面１５ｂのうち、第１開口部１０を覆う部分１５ｃ及び第２開口部１３を覆う部分１５ｄ以外の部分に設けられ、前面壁部６のうちの前側に露出する領域Ｒに貼り付けられる。粘着層１６は、所定の厚さ（例えば、０．３ｍｍ）を有し、シート基材１５の裏面１５ｂに塗布されるか、あるいはシート基材１５の裏面１５ｂに両面テープを貼り付けることにより形成される。
そして、粘着層１６は、シート基材１５の表面１５ａ及び裏面１５ｂの色よりも明度が低い色であればよく、ＮＴＳＣ加重平均法でグレースケール化した際に、シート基材１５よりも黒寄りの色であればよい。具体的に述べると、粘着層１６の色は、グレーである。
【００１８】
樹脂シート１４を、前面壁部６のうちの前側に露出する領域Ｒに貼り付けるに際し、粘着層１６が第１開口部１０及び第２開口部１３以外の前側に露出する領域Ｒに前側から貼り付けられるようにする。これにより、樹脂シート１４が前面壁部６のうちの前側に露出する領域Ｒに前側から貼り付けられる。
樹脂シート１４が前面壁部６のうちの前側に露出する領域Ｒに前側から貼り付けられることにより、前面壁部６のうちの前側に露出する領域Ｒの全てがシート基材１５により覆われる。
【００１９】
これにより、第１開口部１０及び第２開口部１３が閉塞され、第１収納部８及び第２収納部１１の空間を覆い、第１収納部８に収納された人感センサー９及び第２収納部１１に収納された温度センサー１２を隠蔽する。
また、樹脂シート１４のシート基材１５が赤外線を透過可能な材質の樹脂材で形成されているので、人感センサー９の受信感度を確保することができる。また、温度センサー１２の受信感度も確保される。
一方、シート基材１５で第１開口部１０及び第２開口部１３を閉塞し、第１収納部８及び第２収納部１１の空間を覆うと、前記空間の陰影がシート基材１５の表面１５ａに透けて見え、第１開口部１０及び第２開口部１３に対応する部分が周囲より暗く見えてしまう。
【００２０】
ここで、前面壁部６における第１開口部１０及び第２開口部１３以外の前側に露出する領域Ｒの色（白色）とシート基材１５の表面１５ａ及び裏面１５ｂの色（白色）とは同一である。このため、粘着層１６の色を前側に露出する領域Ｒ及びシート基材１５の表面１５ａ及び裏面１５ｂの色と同一とすれば、シート基材１５の表面１５ａにおいて、シート基材１５の表面１５ａに透けて見えた前記陰影の色の周囲の色は、シート基材１５の表面１５ａの色（白色）と同一となる。このため、当該陰影が透けて見えているシート基材１５の表面１５ａの第１開口部１０及び第２開口部１３に対応する部分の暗い色合いが、その周囲のシート基材１５の表面１５ａの比較的明るい色合い（白色）に対して目立ち、そのままでは意匠性を損ねてしまう。
【００２１】
しかしながら、本実施形態に係る室内機１にあっては、シート基材１５の裏面１５ｂのうち、第１開口部１０を覆う部分１５ｃ及び第２開口部１３を覆う部分１５ｄ以外の部分に設けられた粘着層１６が、シート基材１５の表面１５ａ及び裏面１５ｂの色よりも明度が低い色である。具体的に述べると、粘着層１６の色は、グレーとなっている。
このため、第１収納部８及び第２収納部１１の空間の陰影が透けて見えるシート基材１５の表面１５ａの暗い色合いが、粘着層１６（グレー）が透けて見えるシート基材１５の表面１５ａの暗い色合いと近似するため、明暗差が小さくなる。また、シート基材１５の色を前面壁部６の色に対して明度が同じ色とすることで、粘着層１６（グレー）が透けて見えるシート基材１５の表面１５ａの暗い色合いと前面壁部６の色合いも近似するため、明度差が小さくなる。このため、意匠性を損ねることはない。
【００２２】
また、樹脂シート１４のシート基材１５は、前面壁部６のうちの前側に露出する領域Ｒの全てを前側から覆う。つまり、前面壁部６の一端側から他端側までを樹脂シート１４が覆うこととなる。このため、樹脂シート１４を前面壁部６のうちの前側に露出する領域Ｒに貼り付けた際に、樹脂シート１４の外形線が当該領域Ｒの表面に表れることはない。
従って、本実施形態に係る空気調和機の室内機１によれば、樹脂シート１４の外形線及び第１収納部８及び第２収納部１１の空間の陰影が透けて見える樹脂シート１４（シート基材１５）の表面１５ａの暗い色合いを目立たせることなく、意匠性を向上させることができる。
【００２３】
以上、本発明の実施形態について説明してきたが、本発明はこれに限定されずに種々の変更、改良を行うことができる。
例えば、受信部として人感センサー９及び温度センサー１２を設けたが、リモコン受光器等の他の受信部を設けるようにしてもよい。また、シート基材１５の色と前面壁部６の色を同じくしているが、意匠性を損なわない範囲で明度が異なっていてもよい。
また、収納部として第１収納部８及び第２収納部１１を設けたが、受信部を収納するものであれば、１つであっても、３つ以上であってもよい。また、１つの収納部に複数の受信部を収納するようにしてもよい。
【００２４】
また、開口部として第１開口部１０及び第２開口部１３を設けたが、収納部に対応する数の開口部を設ければよい。この場合、各開口部は、前側に露出する領域Ｒの各収納部の前方に位置する部分に形成すればよい。
また、前面壁部６を含む筐体２の色は、比較的明るい色が好ましいが、白色である必要は必ずしもない。
また、シート基材１５の表面１５ａ及び裏面１５ｂの色は、比較的明るい色が好ましいが、前面壁部６を含む筐体２と同様の色である必要は必ずしもない。
【００２５】
また、粘着層１６は、シート基材１５の表面１５ａ及び裏面１５ｂの色よりも明度が低い色であればよく、その色は、グレーである必要は必ずしもない。この場合であっても、第１収納部８及び第２収納部１１の空間の陰影が透けて見えるシート基材１５の表面１５ａの暗い色合いが、粘着層１６が透けて見えるシート基材１５の表面１５ａの暗い色合いに近いものとなり、明暗差を少なくすることができる。
【符号の説明】
【００２６】
１  空気調和機の室内機
２  筐体
３  送風ファン
４  熱交換器
５  ドレパン組立体
５ａ  吹出口
５ｂ  上下風向調整板
６  前面壁部
７  前面パネル
８  第１収納部（収納部）
９  人感センサー（受信部）
１０  第１開口部（開口部）
１１  第２収納部（収納部）
１２  温度センサー（受信部）
１３  第２開口部（開口部）
１４  樹脂シート
１５  シート基材
１５ａ  表面
１５ｂ  裏面
１５ｃ  第１開口部を覆う部分
１５ｄ  第２開口部を覆う部分
１６  粘着層
Ｒ  前側に露出する領域
【図１】
2020106192.tif 000003
【図２】
2020106192.tif 000004
【図３】
2020106192.tif 000005
【図４】
2020106192.tif 000006
【図５】
2020106192.tif 000007